(57)【要約】【課題】この発明は、専用の特別な表示を行なうことなく、録画予約された番組が放送局側の事由により録画されなかった場合に、その旨をユーザに効果的に通知することを可能として実用に好適するようにした番組予約録画装置及び番組予約録画方法を提供することを目的としている。【解決手段】登録された予約情報で示される番組が、当該予約情報で示される時刻に放送されない場合、その番組に代えて放送される番組を予め設定された所定時間（３分程度）だけ録画させる。録画された番組のリストを、予約情報で示される番組に代えて録画された番組については、予約情報で示される番組として掲載して表示する。ユーザは、リストから番組を指定して再生させた際、他の番組が録画されていることにより、録画予約された番組が放送局側の事由により録画されなかった旨を認識することができる。【選択図】    図１
2009159320.tif 000002
【特許請求の範囲】
【請求項１】
番組を録画予約するための予約情報を登録する登録手段と、
前記登録手段に登録された予約情報に基づいて番組の録画を行なう録画手段と、
番組の放送予定を示す情報を含む番組情報を周期的に受信する受信手段と、
前記受信手段で受信された最新の番組情報の中で、前記登録手段に登録された予約情報で示される番組が、当該予約情報で示される時刻に存在しているか否かを判別する判別手段と、
前記判別手段で存在していると判断された番組については、その番組を録画させるように前記録画手段を制御し、前記判別手段で存在していないと判断された番組については、その番組に代えて放送される番組を予め設定された所定時間だけ録画させるように前記録画手段を制御する制御手段とを具備することを特徴とする番組予約録画装置。
【請求項２】
前記録画手段で録画された番組のリストを表示させるもので、前記制御手段により前記登録手段に登録された予約情報で示される番組に代えて予め設定された所定時間だけ録画された番組については、前記登録手段に登録された予約情報で示される番組としてリスト上に掲載するリスト表示手段を具備することを特徴とする請求項１記載の番組予約録画装置。
【請求項３】
前記リスト表示手段は、リスト表示されている番組のうち、前記制御手段により前記登録手段に登録された予約情報で示される番組に代えて予め設定された所定時間だけ録画された番組については、リスト上でその旨を示す印を付すことを特徴とする請求項２記載の番組予約録画装置。
【請求項４】
前記リスト表示手段で表示されたリストから所定の番組を指定することにより、その指定された番組を前記録画手段から再生させる再生手段を具備することを特徴とする請求項２または３記載の番組予約録画装置。
【請求項５】
前記判別手段は、前記登録手段に登録された予約情報で示される番組が、当該予約情報で示される時刻から予め設定された所定時間以内に存在していない場合に、その番組が存在していないと判断することを特徴とする請求項１記載の番組予約録画装置。
【請求項６】
番組を録画予約するための予約情報を登録する工程と、
登録された予約情報に基づいて番組の録画を行なう工程と、
番組の放送予定を示す情報を含む番組情報を周期的に取得する工程と、
取得した最新の番組情報の中で、登録された予約情報で示される番組が、当該予約情報で示される時刻に存在しているか否かを判別する工程と、
存在していると判断された番組については、その番組を録画させ、存在していないと判断された番組については、その番組に代えて放送される番組を予め設定された所定時間だけ録画させる工程とを具備することを特徴とする番組予約録画方法。
【請求項７】
録画された番組のリストを表示させるもので、登録された予約情報で示される番組に代えて予め設定された所定時間だけ録画された番組については、登録された予約情報で示される番組としてリスト上に掲載する工程と、
表示されたリストから所定の番組を指定することにより、その指定された番組を再生させる工程とを具備することを特徴とする請求項６記載の番組予約録画方法。
【発明の詳細な説明】
【技術分野】
【０００１】
この発明は、予め設定された録画予約に基づいて放送番組を録画する番組予約録画装置及び番組予約録画方法の改良に関する。
【背景技術】
【０００２】
周知のように、近年では、例えばＨＤＤ（hard disk drive）やＤＶＤ（digital versatile disk）等の情報記録媒体に対して、記録容量の飛躍的な向上が図られている。そして、このような大容量の情報記録媒体を、放送番組の予約録画が可能なデジタル放送受信装置等に使用することにより、多数の番組を録画することが可能となっている。
【０００３】
ところで、このような番組予約録画機能を有するデジタル放送受信装置にあっては、録画予約された番組について、その放送時間の大幅な変更、放送チャンネルの変更または放送中止等の理由により録画が行なわれなかった場合に、ユーザにその旨を効果的に知らしめることが非常に重要となる。
【０００４】
特許文献１には、録画予約された全番組に対して、その識別子、チャンネル、放送開始時刻、放送時間及び番組内容等を含む番組情報と、録画完了、強制終了、放送中止、録画未実行等を示す録画状況とを関連付けた録画予約テーブルを作成することにより、視聴者が録画状況の確認を行なえるようにすることが開示されている。
【特許文献１】特開２００４−７２４４３号公報
【発明の開示】
【発明が解決しようとする課題】
【０００５】
そこで、この発明は上記事情を考慮してなされたもので、専用の特別な表示を行なうことなく、録画予約された番組が放送局側の事由により録画されなかった場合に、その旨をユーザに効果的に通知することを可能として実用に好適するようにした番組予約録画装置及び番組予約録画方法を提供することを目的とする。
【課題を解決するための手段】
【０００６】
すなわち、この発明に係る番組予約録画装置は、番組を録画予約するための予約情報を登録する登録手段と、登録手段に登録された予約情報に基づいて番組の録画を行なう録画手段と、番組の放送予定を示す情報を含む番組情報を周期的に受信する受信手段と、受信手段で受信された最新の番組情報の中で、登録手段に登録された予約情報で示される番組が、当該予約情報で示される時刻に存在しているか否かを判別する判別手段と、判別手段で存在していると判断された番組については、その番組を録画させるように録画手段を制御し、判別手段で存在していないと判断された番組については、その番組に代えて放送される番組を予め設定された所定時間だけ録画させるように録画手段を制御する制御手段とを備えるようにしたものである。
【０００７】
また、この発明に係る番組予約録画方法は、番組を録画予約するための予約情報を登録する工程と、登録された予約情報に基づいて番組の録画を行なう工程と、番組の放送予定を示す情報を含む番組情報を周期的に取得する工程と、取得した最新の番組情報の中で、登録された予約情報で示される番組が、当該予約情報で示される時刻に存在しているか否かを判別する工程と、存在していると判断された番組については、その番組を録画させ、存在していないと判断された番組については、その番組に代えて放送される番組を予め設定された所定時間だけ録画させる工程とを備えるようにしたものである。
【発明の効果】
【０００８】
上記した発明によれば、登録された予約情報で示される番組が、当該予約情報で示される時刻に放送されない場合、その番組に代えて放送される番組を予め設定された所定時間だけ録画させるようにしたので、専用の特別な表示を行なうことなく、録画予約された番組が放送局側の事由により録画されなかった旨を、ユーザに効果的に通知することが可能となり、実用に好適するものとなる。
【発明を実施するための最良の形態】
【０００９】
以下、この発明の実施の形態について図面を参照して詳細に説明する。図１は、この実施の形態で説明するデジタル放送受信装置１１の主要な信号処理系を示している。このデジタル放送受信装置１１は、詳細は後述するが、放送予定されている番組に対して予約録画を行ない、その録画結果をユーザに通知する機能を備えている。
【００１０】
すなわち、ＢＳ（broadcasting satellite）／ＣＳ（communication satellite）デジタル放送受信用のアンテナ１２で受信した衛星デジタル放送信号は、入力端子１３を介して衛星デジタル放送用のチューナ部１４に供給されることにより、所望のチャンネルの放送信号が選局される。
【００１１】
そして、このチューナ部１４で選局された放送信号は、ＰＳＫ（phase shift keying）復調器１５に供給されてＴＳ（transport stream）が復調される。このＴＳは、ＴＳ処理部１６に供給されてデジタルの映像信号及び音声信号等に復号化された後、信号処理部１７に出力される。
【００１２】
また、地上波放送受信用のアンテナ１８で受信した地上デジタル放送信号は、入力端子１９を介して地上デジタル放送用のチューナ部２０に供給されることによって、所望のチャンネルの放送信号が選局される。
【００１３】
そして、このチューナ部２０で選局された放送信号は、ＯＦＤＭ（orthogonal frequency division multiplexing）復調器２１に供給されてＴＳが復調される。このＴＳは、上記ＴＳ処理部１６に供給されてデジタルの映像信号及び音声信号に復号化された後、上記信号処理部１７に出力される。
【００１４】
また、上記地上波放送受信用のアンテナ１８で受信した地上アナログ放送信号は、入力端子１９を介して地上アナログ放送用のチューナ部２２に供給されることにより、所望のチャンネルの放送信号が選局される。そして、このチューナ部２２で選局された放送信号は、アナログ復調器２３に供給されてアナログの映像信号及び音声信号に復調された後、上記信号処理部１７に出力される。
【００１５】
ここで、上記信号処理部１７は、ＴＳ処理部１６から供給されたデジタルの映像信号及び音声信号に対して所定のデジタル信号処理を施し、グラフィック処理部２４及び音声処理部２５に出力している。また、この信号処理部１７は、上記アナログ復調器２３から供給されたアナログの映像信号及び音声信号をデジタル化し、そのデジタル化された映像信号及び音声信号に対して所定のデジタル信号処理を施した後、グラフィック処理部２４及び音声処理部２５に出力している。
【００１６】
このうち、グラフィック処理部２４は、信号処理部１７から供給されるデジタルの映像信号に、ＯＳＤ（on screen display）信号生成部２６で生成されるＯＳＤ信号を重畳して出力する機能を有する。また、このグラフィック処理部２４は、信号処理部１７の出力映像信号と、ＯＳＤ信号生成部２６の出力ＯＳＤ信号とを選択的に出力することや、両出力をそれぞれ画面の半分を構成するように組み合わせて出力することができる。
【００１７】
そして、グラフィック処理部２４から出力されたデジタルの映像信号は、映像処理部２７に供給される。この映像処理部２７は、入力されたデジタルの映像信号を、映像表示器２８で表示可能なフォーマットのアナログ映像信号に変換した後、映像表示器２８に出力して映像表示させるとともに、出力端子２９を介して外部に導出させる。
【００１８】
また、上記音声処理部２５は、入力されたデジタルの音声信号を、前記スピーカ３０で再生可能なフォーマットのアナログ音声信号に変換した後、スピーカ３０に出力して音声再生させるとともに、出力端子３１を介して外部に導出させる。
【００１９】
ここで、このデジタル放送受信装置１１は、上記した各種の受信動作を含むその全ての動作を制御部３２によって統括的に制御されている。この制御部３２は、ＣＰＵ（central processing unit）３２ａを内蔵しており、デジタル放送受信装置１１の本体に設置された操作部３３からの操作情報、または、リモートコントローラ３４から送出され受信部３５で受信した操作情報を受けて、その操作内容が反映されるように各部をそれぞれ制御している。
【００２０】
この場合、制御部３２は、メモリ部３２ｂを利用している。このメモリ部３２ｂは、主として、ＣＰＵ３２ａが実行する制御プログラムを格納したＲＯＭ（read only memory）と、該ＣＰＵ３２ａに作業エリアを提供するためのＲＡＭ（random access memory）と、各種の設定情報及び制御情報等が格納される不揮発性メモリとを有している。
【００２１】
また、この制御部３２には、ＨＤＤ３６が接続されている。この制御部３２は、ユーザによる操作部３３またはリモートコントローラ３４の操作、または、ＣＰＵ３２ａが実行する制御プログラムの指示に基づいて、上記ＴＳ処理部１６から得られるＭＰＥＧ（moving picture experts group）２−ＴＳのデジタル信号を、暗号化器・復号化器３７によって暗号化した後、ＨＤＤ３６に供給してハードディスク３６ａに録画させるように制御することができる。
【００２２】
さらに、この制御部３２は、ユーザによる操作部３３またはリモートコントローラ３４の操作、または、ＣＰＵ３２ａが実行する制御プログラムの指示に基づいて、上記アナログ復調器２３から得られるアナログの映像信号及び音声信号をエンコーダ３８によりＭＰＥＧ２−ＴＳに変換し、上記暗号化器・復号化器３７によって暗号化した後、ＨＤＤ３６に供給してハードディスク３６ａに録画させるように制御することができる。
【００２３】
また、この制御部３２は、ユーザによる操作部３５またはリモートコントローラ３６の操作、または、ＣＰＵ３２ａが実行する制御プログラムの指示に基づいて、ＨＤＤ３６によりハードディスク３６ａからＭＰＥＧ２−ＴＳを読み出させ、上記暗号化器・復号化器３７によって復号化した後、ＴＳ処理部１６に供給することによって、以後、上記した映像表示及び音声再生に供させるように制御することができる。
【００２４】
さらに、この制御部３２には、デジタル送受信部３９が接続されている。このデジタル送受信部３９は、デジタルインターフェース機能を持つもので、入出力端子４０を介してインターネット等のネットワーク回線に接続されることにより、制御部３２とネットワーク回線との相互間でのデータ通信を可能にしている。これにより、この制御部３２は、デジタル送受信部３９及び入出力端子４０を介してネットワーク回線上のサーバにアクセスし、所望の情報を取得することが可能となる。
【００２５】
また、上記制御部３２は、電子番組表作成部３２ｃを備えている。この電子番組表作成部３２ｃは、予め放送信号やネットワーク回線等を介して取得するもので、番組の放送予定を示す情報を含む番組情報であるＥＰＧ（electronic program guide）情報に基づいて電子番組表を作成している。この電子番組表作成部３２ｃで作成された電子番組表は、映像表示器２８で表示されユーザによる番組の選択に供される。
【００２６】
上記ＥＰＧ情報は、ＩＳＯ（international organization for standardization）／ＩＥＣ（international electrotechnical commission）１３８１８−１及びＡＲＩＢ（association of radio industries and businesses） ＳＴＤ Ｂ−１０等の規格に準拠したＥＩＴ（event information table）に記述されている。このＥＩＴは、例えば数分程度の間隔で周期的に送信されており、その内容が適宜更新されるようになっている。
【００２７】
また、上記制御部３２は、予約録画制御部３２ｄを備えている。この予約録画制御部３２ｄは、番組の予約録画に関する処理動作を制御している。すなわち、この予約録画制御部３２ｄは、ユーザが、映像表示器２８に表示された電子番組表から、所望の放送予定番組を指定して録画予約を設定した場合、その録画予約された番組に関する予約情報（放送開始時刻、放送終了時刻、放送チャンネル、録画モード等の情報）を登録する。
【００２８】
そして、この予約録画制御部３２ｄは、登録された予約情報に基づいて、放送開始時刻に達した番組を受信してハードディスク３６ａに録画させるように制御する。この場合、予約録画制御部３２ｄは、録画予約されている番組を最新のＥＩＴの中で検索し、その番組が、登録されている放送開始時刻から所定時間以内に存在していれば、当該番組を最新のＥＩＴで示される放送開始時刻からハードディスク３６ａに録画させる。
【００２９】
また、この予約録画制御部３２ｄは、録画予約された番組を最新のＥＩＴの中で検索した結果、その番組が、登録されている放送開始時刻から所定時間以内に存在していない場合には、当該番組に代えて登録されている放送チャンネルで放送されている番組を、登録されている放送開始時刻から所定時間（例えば３分間程度）だけ録画させるように制御する。
【００３０】
さらに、上記制御部３２は、録画番組リスト表示部３２ｅを備えている。この録画番組リスト表示部３２ｅは、ハードディスク３６ａに録画されている全ての番組のリストを作成して、映像表示器２８に表示させるものである。
【００３１】
図２は、録画予約された番組が全て正常に録画された場合の録画番組リストの表示例を示している。すなわち、この録画番組リストでは、録画された各番組について、録画日、録画時刻、番組タイトルがそれぞれ表示されている。そして、ユーザは、表示された録画番組リストから所望の番組を指定することにより、その指定した番組をハードディスク３６ａから再生して視聴することができる。
【００３２】
ここで、例えば、１０月２７日（火曜日）に２０：００から放送される番組「○○ドラマ」が、予約録画時に最新のＥＩＴの中から検索されず、上記予約録画制御部３２ｄにより、当該番組「○○ドラマ」に関して、登録されている放送開始時刻から、登録されている放送チャンネルで放送されている他の番組が、３分だけ録画されたとする。
【００３３】
この場合、録画番組リスト表示部３２ｅは、図３に示すように、当該番組「○○ドラマ」について、その録画日、録画時刻、番組タイトルを表示させ、かつ、番組タイトルの先頭に「未収録」のメッセージを付加する。すなわち、録画予約された本来の番組に代えて所定時間録画された番組については、録画予約された本来の番組としてリスト上に掲載している。なお、このメッセージとしては、番組タイトルの表示色と異なる色で表示させることもできる。これにより、ユーザは、録画番組リストを見たとき、番組「○○ドラマ」を録画予約したけれども、録画ができなかったことを認識することができる。
【００３４】
そして、ユーザが録画番組リストから当該番組「○○ドラマ」を指定すると、その番組「○○ドラマ」に代わって３分だけ録画された他の番組が再生されることになる。このため、ユーザは、再生された番組を視聴することにより、録画予約した番組が録画されなかった理由を認識することができる。例えば、視聴した番組のタイトルが「選挙速報」であった場合、ユーザは、選挙速報が介入したために本来の番組「○○ドラマ」が移動または放送中止されたことにより、録画されなかったことを認識することができる。
【００３５】
上記した実施の形態によれば、録画予約をして録画ができなかった番組も録画番組リストに掲載させ、その番組について録画されていない旨を示す簡単なメッセージ「未収録」を付加するようにしている。このため、ユーザは、番組を録画予約したけれども、録画ができなかったことを認識することができる。なお、この点について、従来では、録画できなかった番組を録画番組リストに掲載しないようにしているものもある。この場合、ユーザは、番組を録画予約した履歴を参照することができなくなるので、ユーザにとっての利便性を損なうことになる。
【００３６】
そして、録画予約された番組が録画時に放送されていない場合、その番組に代えて放送された他の番組を所定時間だけ録画しておき、録画番組リスト上で「未収録」メッセージの付加された番組を指定して視聴することにより、ユーザは、録画予約した番組が録画されていない理由を認識することができる。
【００３７】
このため、録画予約した番組が録画されていない理由をユーザに通知するために専用の特別な表示を行なう必要がなくなる。また、録画予約された番組に代えて放送される他の番組を録画することは、予約録画制御部３２ｄによって、そこに登録されている予約情報を利用して容易に実現することができるので、構成も簡易化することができる。
【００３８】
さらに、録画予約された番組に代えて実際に放送される番組を所定時間だけ録画するようにしているので、例えば、ＥＩＴが正しく更新されなかった場合でも、ユーザは、実際に録画された番組を視聴することで、録画予約した番組が録画されていない理由を直感的に認識することが可能となる。この点について、ＥＩＴを利用して、録画予約された番組が録画されなかった理由をユーザに通知する手法では、ＥＩＴが正しく更新されなかった場合に不都合が生じることになる。
【００３９】
なお、録画番組リスト上で録画予約したけれども録画ができなかった番組を示すためには、上記した「未収録」のメッセージの他に、図４に示すように、該当する番組の番組タイトル「○○ドラマ」の後に「×」のような簡単なマークを付してもよく、あるいは「緊急特番のために録画できませんでした」というようにテキストデータを付してもよく、要するに、他の録画済みの番組と区別するための印を付すようにすれば良いものである。
【００４０】
図５は、上記した予約録画制御部３２ｄが行なう処理動作をまとめたフローチャートを示している。この処理は、電子番組表から指定された番組について録画予約を設定し、その番組に関する予約情報が予約録画制御部３２ｄに登録されている状態で開始（ステップＳ１）される。
【００４１】
すると、予約録画制御部３２ｄは、ステップＳ２で、録画予約されている番組の放送開始時刻に基づいて、その番組の録画開始時刻に達したか否かを判別し、録画開始時刻に達したと判断された場合（ＹＥＳ）、ステップＳ３で、その番組の放送開始時刻に最新のＥＩＴに存在する番組タイトルが、予約情報に記述されている番組タイトルと一致するか否かを判別する。
【００４２】
そして、番組タイトルが一致すると判断された場合（ＹＥＳ）、上記予約録画制御部３２ｄは、ステップＳ４で、その番組の録画を実行し、ステップＳ５で、録画終了要求が発生されたか否かを判別し、録画終了要求が発生されたと判断された場合（ＹＥＳ）、処理を終了（ステップＳ１０）する。
【００４３】
また、上記ステップＳ３で番組タイトルが一致しないと判断された場合（ＮＯ）、予約録画制御部３２ｄは、ステップＳ６で、最新のＥＩＴに基づいて、録画予約された番組の放送開始時刻から所定時間（例えば３時間程度）以内に、予約情報に記述されている番組タイトルと一致するタイトルが存在するか否かを判別する。
【００４４】
そして、存在すると判断された場合（ＹＥＳ）、予約録画制御部３２ｄは、ステップＳ７で、録画開始時刻を修正して、ステップＳ２の処理に戻される。また、上記ステップＳ６で録画予約された番組の放送開始時刻から所定時間以内に、予約情報に記述されている番組タイトルと一致するタイトルが存在しないと判断された場合（ＮＯ）、予約録画制御部３２ｄは、ステップＳ８で、録画予約された番組に代えて放送されている他の番組の録画を実行し、ステップＳ９で、所定時間（例えば３分程度）経過したか否かを判別し、経過したと判断された場合（ＹＥＳ）、処理を終了（ステップＳ１０）する。
【００４５】
なお、この発明は上記した実施の形態そのままに限定されるものではなく、実施段階ではその要旨を逸脱しない範囲で構成要素を種々変形して具体化することが可能である。例えば、上記した実施の形態では、電子番組表作成部３２ｃや予約録画制御部３２ｄ等がデジタル放送受信装置１１内に設けられていたが、ＨＤＤ内蔵ＤＶＤレコーダ等の外付けの録画再生装置に上記実施の形態と同様の構成を設け、当該録画再生装置を用いて同様の録画処理を行なうことも当然可能である。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４６】
【図１】この発明の実施の形態を示すもので、デジタル放送受信装置の信号処理系を説明するために示すブロック構成図。
【図２】同実施の形態におけるデジタル放送受信装置により表示される録画番組リストの一例を説明するために示す図。
【図３】同実施の形態におけるデジタル放送受信装置により表示される録画番組リストの他の例を説明するために示す図。
【図４】同実施の形態におけるデジタル放送受信装置により表示される録画番組リストのさらに他の例を説明するために示す図。
【図５】同実施の形態におけるデジタル放送受信装置が行なう処理動作を説明するために示すフローチャート。
【符号の説明】
【００４７】
１１…デジタル放送受信装置、１２…アンテナ、１３…入力端子、１４…チューナ部、１５…ＰＳＫ復調器、１６…ＴＳ処理部、１７…信号処理部、１８…アンテナ、１９…入力端子、２０…チューナ部、２１…ＯＦＤＭ復調器、２２…チューナ部、２３…アナログ復調器、２４…グラフィック処理部、２５…音声処理部、２６…ＯＳＤ信号生成部、２７…映像処理部、２８…映像表示器、２９…出力端子、３０…スピーカ、３１…出力端子、３２…制御部、３２ａ…ＣＰＵ、３２ｂ…メモリ部、３２ｃ…電子番組表作成部、３２ｄ…予約録画制御部、３２ｅ…録画番組リスト表示部、３３…操作部、３４…リモートコントローラ、３５…受信部、３６…ＨＤＤ、３６ａ…ハードディスク、３７…暗号化器・復号化器、３８…エンコーダ、３９…デジタル送受信部、４０…入出力端子。
【図１】
2009159320.tif 000003
【図２】
2009159320.tif 000004
【図３】
2009159320.tif 000005
【図４】
2009159320.tif 000006
【図５】
2009159320.tif 000007